(57)【要約】      （修正有）【課題】タッチパネルの気圧平衡構造を提供する。【解決手段】タッチパネルの気圧平衡構造は、電気抵抗式タッチパネルの接着剤フレーム４上に、少なくとも１本の細長い通気道５を、辺フレーム上に縦方向に設置し、これによりタッチパネルの内、外空間は連通し、気圧平衡の目的を達成し、内外の圧力差が過大でパネルの組合せ構造が損壊しないようにし、同時に細長い通気道５の極めて細い管構造及び接着剤フレーム４の粘着特性を利用し、侵入しようとする外界の水分と粉塵などの汚染物質を効果的に阻害することができ、タッチパネル内部の清浄を確保し、細長い通気道５上にはさらにターン部５３を設置し、しかもターン部５３には広い蓄積空間を形成し、これにより気流圧力を緩衝し、各気流中の水分或いは粉塵を蓄積する。【選択図】図２
0003159189.tif 000002
【実用新案登録請求の範囲】
【請求項１】
電気抵抗式タッチセンサー、タッチ膜層、基板、接着剤フレームを備え、
前記電気抵抗式タッチセンサーは、２枚の面状の透明導電膜を備え、前記導電膜は、一定の間隙を隔て、向かい合って配置され、
前記上方の導電膜は、前記透明のタッチ膜層の片側表面に設置し、前記下方の導電膜は、前記透明の基板の片側表面に設置し、
前記向かい合って配置する二面の間には、多数の凸点状の隔絶部品を備え、これにより前記各導電膜の作用区域内には、間隔を残し、
前記作用区域の外側には、接着剤フレームをぐるりと取り囲んで設置し、これにより前記基板と前記タッチ膜層とを重ねて一体に粘着接合し、
前記接着剤フレーム上には、少なくとも１本の細長い通気道を、辺フレーム上に縦方向に設置し、しかも前記細長い通気道の２個の端口は、前記辺フレーム両側にそれぞれ設置し、前記タッチパネルの内、外空間は連通することを特徴とするタッチパネルの気圧平衡構造。
【請求項２】
前記細長い通気道の断面幅は、約0.1〜0.3mmであることを特徴とする請求項１に記載のタッチパネルの気圧平衡構造。
【請求項３】
前記細長い通気道上には、少なくとも１本のターン部を設置することを特徴とする請求項１に記載のタッチパネルの気圧平衡構造。
【請求項４】
前記ターン部は、広い蓄積空間を備えることを特徴とする請求項３に記載のタッチパネルの気圧平衡構造。
【考案の詳細な説明】
【技術分野】
【０００１】
本考案はタッチパネルの気圧平衡構造に関し、特に電気抵抗式タッチパネルに応用する気圧平衡構造に関する。
【背景技術】
【０００２】
電気抵抗式タッチパネルなど一般のタッチパネルの構造は、２枚の面状の導電膜を備え、該導電膜は一定の間隙を隔て向かい合って配置される。
通常、上方の導電膜は、フレキシブルな透明薄膜の表面に配置し、下方の導電膜は、堅固な材質の透明基板の表面に設置する。
しかも、向かい合って配置する二面の間には、多数の凸状隔絶部品を備えて導電膜設置区域内に間隔を残し、該区域の四周には、接着剤フレームを設置する。
こうして、外界の粉塵或いは水分が導電膜設置区域を汚染しないように、フレキシブルな透明薄膜と透明基板の両者は、密封され一体に粘着接合される。
【０００３】
上記したタッチパネルの密封された導電膜設置区域構造は、一般の状況下での作動では、特別な問題はない。
しかし、製品の空輸時には、高度数万フィートの空中での外気圧は0.1〜0.2気圧しかなく、半真空状態に近い状況にあるため、強大な負圧がかかり、該パネルの密封構造が破壊されることがあり、水分、粉塵など外界の物質が侵入する。
これにより、パネル内部の導電膜などの電気部品は、水分の浸入で破壊され、或いは粉塵に汚染される。
こうして、電気接触不良、或いは誤信号発生などの問題が生じる。
また、あるタッチパネルの接着剤フレームでは、感圧接着剤(Pressure Sensitive Adhesives)などの特殊な接着剤を使用する。
そのため、外力を受けると、該密封空間内の気体が排出され、次に外界の圧力が消失しても、外界の空気は該密封空間内に戻ることができない。
こうして、該密封空間は負圧状態となり、上、下導電膜は「接近」状態を呈し、誤接触或いはショート(short)の現象を招く。
特に、最近広く使用されるようになっている大面積規格のタッチパネルでは、この種の不利な影響はより深刻となる。
本考案は、従来のタッチパネルの上記した欠点に鑑みてなされたものである。
【考案の概要】
【考案が解決しようとする課題】
【０００４】
本考案が解決しようとする課題は、タッチパネルスタッグ層中に細長い通気道構造を設置し、パネル内部と外界空気とを連通させ、これによりパネル内、外部の気圧は平衡を保持し、圧力差による構造の破壊を回避し、同時に、細長い通気道により、外界の水分、粉塵などの汚染物質の侵入を効果的に隔絶することができ、タッチパネル内部の清浄を確保することができるタッチパネルの気圧平衡構造を提供することである。
【課題を解決するための手段】
【０００５】
上記課題を解決するため、本考案は下記のタッチパネルの気圧平衡構造を提供する。
タッチパネルの気圧平衡構造は、電気抵抗式タッチセンサー、タッチ膜層、基板、接着剤フレームを備え、
該電気抵抗式タッチセンサーは、２枚の面状の透明導電膜を備え、該導電膜は、一定の間隙を隔て、向かい合って配置され、
該上方の導電膜は、該透明のタッチ膜層の片側表面に設置し、該下方の導電膜は、該透明の基板の片側表面に設置し、
該向かい合って配置する二面の間には、多数の凸点状の隔絶部品を備え、これにより該各導電膜の作用区域内には、間隔を残し、
該作用区域の外側には、接着剤フレームをぐるりと取り囲んで設置し、これにより該基板と該タッチ膜層とを重ねて一体に粘着接合し、
該接着剤フレーム上には、少なくとも１本の細長い通気道を、辺フレーム上に縦方向に設置し、しかも該細長い通気道の２個の端口は、該辺フレーム両側にそれぞれ設置し、該タッチパネルの内、外空間は連通し、該タッチパネル内外の気圧の平衡を達成し、
該細長い通気道の断面幅は、約0.1〜0.3mmで、該細長い通気道の極めて細い管構造及び接着剤フレームの粘着特性を利用し、侵入しようとする外界の水分、粉塵などの汚染物質を効果的に阻害することができ、タッチパネル内部の清浄を確保し、
該細長い通気道上には、少なくとも１本のターン部を設置し、しかも該ターン部には広い蓄積空間を形成し、該ターン部は、該細長い通気道中を流通する気流圧力を緩衝し、該蓄積空間を利用して、該各気流中の水分或いは粉塵を蓄積し、水分或いは粉塵が、パネルの作用区域A内に外界から直接入らないようにすることができる。
【考案の効果】
【０００６】
本考案タッチパネルの気圧平衡構造は、タッチパネルスタッグ層中に細長い通気道構造を設置し、パネル内部と外界空気とを連通させ、これによりパネル内、外部の気圧は平衡を保持し、圧力差による構造の破壊を回避し、同時に、細長い通気道により、外界の水分、粉塵などの汚染物質の侵入を効果的に隔絶することができ、タッチパネル内部の清浄を確保することができる。
【図面の簡単な説明】
【０００７】
【図１】本考案第一実施例の構造組合せの側面部分断面図である。
【図２】本考案第一実施例の接着剤フレームの平面図である。
【図３】本考案第二実施例の構造組合せの側面部分断面図である。
【図４】本考案第三実施例の接着剤フレームの平面図である。
【図５】本考案第四実施例の接着剤フレームの平面図である。
【図６】本考案第五実施例の接着剤フレームの平面図である。
【図７】本考案第六実施例の接着剤フレームの平面図である。
【考案を実施するための形態】
【０００８】
以下に図面を参照しながら本考案を実施するための最良の形態について詳細に説明する。
【０００９】
図１、２に示すように、電気抵抗式タッチパネルは、タッチセンサー１、タッチ膜層２、基板３、接着剤フレーム４を備える。
電気抵抗式タッチセンサー１は、透明の酸化インジウム(ITO)導電膜などの２枚の面状の透明導電膜１２、１３を備える。
タッチ膜層は、ポリカーボネート薄膜などのフレキシブルな透明薄膜である。
基板３は、ガラス薄板或いは透明のメタクリル樹脂(PMMA)板などの透明薄板である。
電気抵抗式タッチセンサー１の２枚の透明導電膜は、一定の間隙を隔て、向かい合って配置される。
上方の導電膜１２は、透明のタッチ膜層２の片側表面に設置し、下方の導電膜１３は、透明の基板３の片側表面に設置する。
しかも、向かい合って配置する二面の間には、多数の凸点状の隔絶部品１４を備え、これにより各導電膜１２、１３の作用区域A内には、間隔を残す。
さらに、作用区域の外側には、接着剤フレーム４をぐるりと取り囲んで設置し、これにより基板３とタッチ膜層２とを重ね、一体に粘着接合する。
図２に示すように、特にタッチパネルの接着剤フレーム４上には、細長い通気道５を設置する。
細長い通気道５は、辺フレーム上に縦方向を呈して設置し、しかも２個の端口５１、５２は、辺フレームの両側にそれぞれ設置する。
これにより、タッチパネルの内、外空間は連通し、内、外の気圧の平衡を達成する。
細長い通気道５は、接着剤フレーム４の辺フレーム中央の隙間に形成する(図１参照)。
或いは、細長い通気道５は、接着剤フレーム４の辺フレームの片側表面上に陥没状に設置する溝(図３参照)である。
細長い通気道５の断面の幅は、約0.1mmに設定する。
細長い通気道５の極めて細い管構造及び接着剤フレーム４の粘着特性を利用し、各導電膜１２、１３の作用区域A内に侵入する外界の水分と粉塵を阻害することができる。
【００１０】
図２に示す、通気道５には、多数のN字型ターン部５３を設置し、しかもN字型ターン部５３には、広い蓄積空間を形成する。
N字型ターン部５３の構造により、細長い通気道５中を流通する気流を緩衝し、蓄積空間を利用して、各気流中の水分或いは粉塵を蓄積し、水分或いは粉塵が、パネルの作用区域A内に外界から直接入らないようにすることができる。
【００１１】
図４〜７は、本考案の他の実施例を示す。
各実施例は、タッチパネルの接着剤フレーム４に設置する細長い通気道５の形態を数種掲示する。
複数本の細長い通気道５を設置することで、内外の気圧の平衡を迅速に達成する機能を増強することができ、この構造は特に、大面積規格の電気抵抗式タッチパネル構造に適している。
図４中では、接着剤フレーム４両側の辺フレームには共に、通気道５を設置する。
図５中では、接着剤フレーム４両側及び下側辺フレームには共に、通気道５を設置する。
図６中では、接着剤フレーム４の４本の辺フレームには共に、通気道５を設置する。
図７中では、接着剤フレーム４の１本の辺フレームには、多数本の通気道５を設置する。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１３】
本考案は実用新案の要件である新規性を備え、従来の同類製品に比べ十分な進歩を有し、実用性が高く、社会のニーズに合致しており、産業上の利用価値は非常に大きい。
【符号の説明】
【００１４】
１  タッチセンサー
１２、１３  導電膜
１４  隔絶部品
２  タッチ膜層
３  基板
４  接着剤フレーム
５  通気道
５１、５２  端口
５３  ターン部
【図１】
0003159189.tif 000003
【図２】
0003159189.tif 000004
【図３】
0003159189.tif 000005
【図４】
0003159189.tif 000006
【図５】
0003159189.tif 000007
【図６】
0003159189.tif 000008
【図７】
0003159189.tif 000009
【手続補正書】
【提出日】平成22年3月2日(2010.3.2)
【手続補正１】
【補正対象書類名】実用新案登録請求の範囲
【補正対象項目名】請求項１
【補正方法】変更
【補正の内容】
【請求項１】
電気抵抗式タッチセンサー、タッチ膜層、基板、接着剤フレームを備え、
前記電気抵抗式タッチセンサーは、２枚の面状の透明導電膜を備え、前記透明導電膜は、一定の間隙を隔て、向かい合って配置され、
上方の導電膜は、透明のタッチ膜層の片側表面に設置し、下方の導電膜は、透明の基板の片側表面に設置し、
前記向かい合って配置する二面の間には、多数の凸点状の隔絶部品を備え、これにより前記各導電膜の作用区域内には、間隔を残し、
前記作用区域の外側には、接着剤フレームをぐるりと取り囲んで設置し、これにより前記基板と前記タッチ膜層とを重ねて一体に粘着接合し、
前記接着剤フレーム上には、少なくとも１本の細長い通気道を、辺フレーム上に縦方向に設置し、しかも前記細長い通気道の２個の端口は、前記辺フレーム両側にそれぞれ設置し、タッチパネルの内、外空間は連通することを特徴とするタッチパネルの気圧平衡構造。